(57)【要約】【課題】着磁ヨークをターンテーブルの中心案内部に着脱可能に結合することで、組立て作業が容易になり、組立て後に着磁ヨークを他ものに交換することができるターンテーブルを提供する。【解決手段】ターンテーブル１００は、ディスクの定着を助けるための中心案内部１２０と、中心案内部１２０から半径方向に延びて、ディスクをバランシングするためのバランシング部１５０とを含み、中心案内部１２０は、着磁ヨーク１３０が着脱可能に結合される環状の開放口１２２を有する。中心案内部１２０は、環状の開放口１２２に露出される側壁に少なくとも一つの結合突起１２３が形成され、着磁ヨーク１３０は、その外周縁に、結合突起と対応する少なくとも一つの結合部位１３１を有することができる。【選択図】図１
2007179721.tif 000002
【特許請求の範囲】
【請求項１】
ディスクの定着を助けるための中心案内部、および、前記中心案内部から半径方向に延びて前記ディスクのバランスを取るためのバランシング部、を含み、
前記中心案内部は、着磁ヨークが着脱可能に結合される環状の開放口を有することを特徴とする、着磁ヨークの組立てが容易なターンテーブル。
【請求項２】
前記中心案内部は、前記環状の開放口を通じて露出される側壁に少なくとも一つの結合突起が形成され、前記着磁ヨークは、その外周縁に、前記結合突起と対応する少なくとも一つの結合部位を有することを特徴とする、請求項１に記載の着磁ヨークの組立てが容易なターンテーブル。
【請求項３】
前記結合部位は、前記結合突起と対応する開放部と前記結合突起と密着して結合する結合部とを有することを特徴とする、請求項２に記載の着磁ヨークの組立てが容易なターンテーブル。
【請求項４】
前記結合部は、前記開放部側が低くなるように斜めに形成されることを特徴とする、請求項３に記載の着磁ヨークの組立てが容易なターンテーブル。
【請求項５】
前記バランシング部は、その下面に、複数のボールを収容するための収容空間を有し、前記収容空間は、前記バランシング部に着脱可能に結合されるボールカバーによって密閉されることを特徴とする、請求項１ないし４のいずれか一項に記載の着磁ヨークの組立てが容易なターンテーブル。
【請求項６】
前記バランシング部は、前記収容空間を形成する内壁に、所定間隔を置いて複数のボールを分散するための複数の突起が形成されることを特徴とする、請求項５に記載の着磁ヨークの組立てが容易なターンテーブル。
【請求項７】
前記ボールカバーは、前記複数のボールが載置される載置面が前記バランシング部の中心側に下向きに斜めに形成され、前記載置面には、前記複数のボールを分散するための複数のボール係止突起が形成されることを特徴とする、請求項５に記載の着磁ヨークの組立てが容易なターンテーブル。
【発明の詳細な説明】
【技術分野】
【０００１】
本発明はターンテーブルに係り、より詳しくは、ディスクをクランピングするためのクランピング磁石が定着される着磁ヨークを容易に組み立てることができるターンテーブルに関するものである。
【背景技術】
【０００２】
ターンテーブルは、ディスク駆動装置に設置され、スピンドルモーターなどの駆動手段によって回転駆動しながら、その上に搭載されたディスクを回転させるためのもので、その一例を図５に示す。
【０００３】
図５に示すように、従来のターンテーブル２００は、本体２１０と、本体２１０の下部を覆うボールカバー２８０とからなっている。
【０００４】
本体２１０は、ディスク（図示せず）の定着を助けるために、ディスクの中心を案内するための中心案内部２２０と、中心案内部２２０から一体に半径方向に延びて、ディスクの回転時、ディスクの偏心によって発生する不均衡を解決するための環状のバランシング部２５０とからなる。
【０００５】
中心案内部２２０は、中央に、駆動手段の回転軸が挿着される軸結合口２２１が形成され、軸結合口２２１の外側に環状の開放口２２２が形成されている。
【０００６】
環状の開放口２２２には着磁ヨーク２３０が配設され、その上に、ディスクをクランピングするためのクランピング磁石２４０が配設されている。ここで、開放口２２２に突設された突起２２３が着磁ヨーク２３０を貫通し、その端部が熱融着などによって圧着される方式で、着磁ヨーク２３０が中心案内部２２０に固定結合されている。
【０００７】
環状のバランシング部２５０は、下面に環状の隔壁２５１、２５２が突設して、バランシングのための複数のボール２６０を収容する空間２５４が確保されている。
【０００８】
ボールカバー２８０はボール２６０が外部へ抜け出ることを防止するためのもので、その内壁が隔壁２５１、２５２間に密着される方式で、バランシング部２５０に結合されている。
【０００９】
しかし、前述した構成を有する従来技術のターンテーブル２００は、着磁ヨーク２３０を結合するために、突起２２３を熱融着などの方式で圧着しなければならなかったから、ターンテーブル２００に着磁ヨーク２３０を組み立てる作業が困難であっただけでなく、一旦、着磁ヨーク２３０がターンテーブル２００に組み立てられた後には、着磁ヨークを交換しにくいという問題があった。
【発明の開示】
【発明が解決しようとする課題】
【００１０】
したがって、本発明は前述した従来技術の問題点を解決するためになされたもので、本発明の目的は、着磁ヨークをターンテーブルの中心案内部に着脱可能に結合することにより、組立て作業を容易にするだけでなく、組立ての後に他のものと交換することができるターンテーブルを提供することである。
【課題を解決するための手段】
【００１１】
前述した本発明の目的を達成するために、本発明は、ディスクの定着を助けるための中心案内部、および前記中心案内部から半径方向に延びて、前記ディスクのバランスを取るためのバランシング部、を含み、前記中心案内部は、着磁ヨークが着脱可能に結合される環状の開放口を有することを特徴とする、着磁ヨークの組立てが容易なターンテーブルを提供する。
【００１２】
前記中心案内部は、前記環状の開放口を通じて露出される側壁に少なくとも一つの結合突起が形成され、前記着磁ヨークは、その外周縁に、前記結合突起と対応する少なくとも一つの結合部位を有することができる。
【００１３】
前記結合部位は、前記結合突起と対応する開放部と前記結合突起と密着して結合する結合部とを有することができる。
【００１４】
前記結合部は、前記開放部側が低くなるように斜めに形成されることができる。
【００１５】
前記バランシング部は、その下面に、複数のボールを収容するための収容空間を有し、前記収容空間は、前記バランシング部に着脱可能に結合されるボールカバーによって密閉されることができる。
【００１６】
前記バランシング部は、前記収容空間を形成する内壁に、所定間隔を置いて複数のボールを分散するための複数の突起が形成されることができる。
【００１７】
前記ボールカバーは、前記複数のボールが載置される載置面が前記バランシング部の中心側に下向きに斜めに形成され、前記載置面には、前記複数のボールを分散するための複数のボール係止突起が形成されることができる。
【発明の効果】
【００１８】
本発明のターンテーブルによれば、着磁ヨークがターンテーブルの中心案内部に着脱可能に結合されるので、組立てが容易である。したがって、組立て時間が節減されるだけでなく、組立ての後に着磁ヨークを他のものと交換することもできる。
【００１９】
また、本発明のターンテーブルは、バランシング部とボールカバーにそれぞれ複数の突起が形成されるので、複数のボールがいずれか一方に偏らないで均一に分散でき、これによりターンテーブルのバランシングが円滑に取られる。
【発明を実施するための最良の形態】
【００２０】
以下、添付図面に基づいて本発明の好適な実施例による着磁ヨークの組立てが容易なターンテーブルを詳細に説明する。
【００２１】
図１は本発明の好適な実施例によるターンテーブルを示す概略断面図、図２は図１のクランピング磁石、着磁ヨークおよび中心案内部の概略分解斜視図、図３は図１のターンテーブルの底面図、および、図４は図１のボールカバーの概略断面図である。
【００２２】
図１〜図４に示すように、本実施例によるターンテーブル１００は、円板状の本体１１０と、本体１１０の下部を覆う環状のボールカバー１８０とを含む。
【００２３】
円板状の本体１１０は、中央に、外部に突出した中心案内部１２０を有し、中心案内部１２０の外周から放射状に延びる環状のバランシング部１５０を有する。
【００２４】
中心案内部１２０は、ディスク（図示せず）の定着を助けるために、ディスクの中心を案内するためのもので、ディスクの挿入を容易にするために、外周端部がラウンディング処理される。
【００２５】
また、中心案内部１２０には、中心軸を貫通する軸結合口１２１が形成され、この軸結合口１２１には駆動手段（図示せず）の回転軸が挿着され、中心案内部１２０には、軸結合口１２１が中央に位置するように、環状の開放口１２２が形成される。
【００２６】
また、中心案内部１２０は、環状の開放口１２２を通じて露出される内周壁１２２ｂに少なくとも一つ以上の結合突起１２３が形成される。
【００２７】
このとき、結合突起１２３は中心案内部１２０の底面１２２ａから所定距離を置いて形成され、三つの結合突起１２３が約１２０度の間隔を置いて配置される。
【００２８】
本実施例においては、結合突起１２３を１２０度の間隔を置いて三つ形成したが、これとは異なり、１８０度の間隔を置いて二つを形成することもでき、９０度の間隔を置いて四つ形成することもできる。
【００２９】
ここで、結合突起１２３は所定の厚さを有する長方形に形成するか、あるいはその内側辺部が内周壁１２２ｂの曲率と同一の曲率を有する円弧形に形成することが望ましいが、着磁ヨーク１３０の外周面と対応するように形成することがより望ましい。
【００３０】
環状の開放口１２２の内部には着磁ヨーク１３０が配設され、その上に、ディスクをクランピングするためのドーナツ状のクランピング磁石１４０が定着される。
【００３１】
着磁ヨーク１３０は円板状のもので、外周縁部に沿って所定間隔を置いて複数の結合部位１３１が形成される。
【００３２】
結合部位１３１は、中心案内部１２０に形成された複数の結合突起１２３と対応する開放部１３２と、結合突起１２３と密着して結合される結合部１３３とを有する。
【００３３】
ここで、結合部１３３は、結合突起１２３との結合を容易にするために、開放部１３２側が低くなるように斜めに形成される。
【００３４】
このような構成を有する着磁ヨーク１３０は、開放部１３２が結合突起１２３に結合するように中心案内部１２０に挿入した後、図面の反時計回り方向に回転させることで結合部１３３と結合突起１２３を密着させて結合する方式によって、中心案内部１２０に結合される。
【００３５】
したがって、このような作業と着磁ヨーク１３０を時計回り方向に回転させる逆順の作業によって着磁ヨーク１３０をターンテーブル１００に容易に組み立てるか分離することができる。また、着磁ヨーク１３０は外周縁の一部が中心案内部１２０の内周壁１２２ｂに形成された複数の結合突起１２３の下側に密着して結合されるので、結合後に着磁ヨーク１３０が中心案内部１２０に固定設置される。
【００３６】
環状のバランシング部１５０は、図３に平面図としてさらに示すように、中心案内部１２０から一体に半径方向に延びて、ディスクの回転時、ディスクの偏心によって発生する不均衡を解決するためのもので、下面に、環状の第１隔壁１５１と第２隔壁１５２を含む二重隔壁が突設され、第１隔壁１５１の外側に所定間隔を置いて環状のリム部１５３が形成される。
【００３７】
ここで、環状のバランシング部１５０は、リム部１５３と第１隔壁１５１によって限定される空間、すなわちバランシングに用いられる複数のボール１６０を収容する収容空間１５４を有し、第１隔壁１５１と第２隔壁１５２によって限定される空間、すなわちボールカバー１８０が挿入結合される結合空間１５５を有する。
【００３８】
また、バランシング部１５０は、第１隔壁１５１の外壁、つまり収容空間１５４側の壁に一定間隔を置いて複数の突起１５６が形成される。
【００３９】
複数の突起１５６は、収容空間１５４に収容される複数のボール１６０が一側に偏ることを防止して、ボール１６０を全体的に均一に分散させる。よって、ターンテーブル１００は、ディスクの偏心によって発生する不均衡状態を複数のボール１６０のバランシング作用によって円滑に調整することができる。
【００４０】
ここで、複数の突起１５６は、ボール１６０と接触した時、端部がボール１６０の中央部に位置するように、形成されることが望ましく、各突起１５６の側部は、ボール１６０が突起１５６間に容易に位置するように、斜めに形成されることが望ましい。
【００４１】
また、突起１５６間の間隔は、制限されるものではないが、二つまたは三つのボール１６０を収容することができるほどが望ましい。本実施例においては、二つのボール１６０を収容するように突起１５６の間隔を設計した。
【００４２】
また、環状のリム部１５３は、その下端面に円周方向に環状の結合溝１５３ａが形成され、この結合溝１５３ａには、ボールカバー１８０の外周結合突起１８３が押し込まれて結合される。
【００４３】
ボールカバー１８０は、ボール１６０が収容空間１５４から外部へ抜け出ることを防止するためのもので、環状の底部１８１と、この底部１８１の内周縁から起立する内周結合突起１８２と、この底部１８１の外周縁から起立する外周結合突起１８３とを有する。
【００４４】
底部１８１は外周結合突起１８３から内周結合突起１８２に向かって下向きに傾き、載置面１８１ａには、内周結合突起１８２と隣接して複数のボール係止突起１８４が形成される。また、内周結合突起１８２と隣接して環状の段差部１８５が形成される。
【００４５】
ここで、段差部１８５は、環状のバランシング部１５０の第１隔壁１５１の厚さと同一の幅を有するように形成することが望ましい。
【００４６】
この複数のボール係止突起１８４は、環状のバランシング部１５０の第１隔壁１５１に形成された複数の突起１５６と同様に、所定の間隔を置いて形成され、自由端は、ボール１６０との接触面積を増大させるために、傾斜処理される。
【００４７】
また、この際に、複数のボール係止突起１８４間の間隔は、複数の突起１５６間の間隔と同様に、二つまたは三つのボール１６０を収容するほどの間隔を有するように形成することが望ましい。
【００４８】
このようなボール係止突起１８４によって、収容空間１５４に収容される複数のボール１６０が一側に偏ることを防止して、ボール１６０を全体的に均一に分散させる。
【００４９】
内周結合突起１８２は、環状のバランシング部１５０の第１隔壁１５１と第２隔壁１５２との間に形成された結合空間１５５に押し込まれる方式でバランシング部１５０に結合されている。
【００５０】
ここで、内周結合突起１８２が押し込まれた時、第１隔壁１５１と第２隔壁１５２は中心軸方向と中心軸反対方向にそれぞれ少しずつ撓むことになる。すなわち、第１隔壁１５１と第２隔壁１５２が内周結合突起１８２に弾性的に密着する。
【００５１】
外周結合突起１８３は底部１８１の外周から上向きに延設され、環状のバランシング部１５０のリム部１５３に形成された結合溝１５３ａに押し込まれる。このように、内周結合突起１８２と外周結合突起１８３がそれぞれ環状のバランシング部１５０の結合空間１５５と結合溝１５３ａにそれぞれ押し込まれることにより、ボールカバー１８０が本体１１０、具体的にバランシング部１５０に固定結合される。
【００５２】
以上、本発明の好適な実施例を参照して、本発明の着磁ヨークの組立てが容易なターンテーブルについて説明したが、本発明の思想を逸脱しない範囲内で、多様な修正、変更および変形実施例が可能であることは当業者に明らかであろう。
【産業上の利用可能性】
【００５３】
本発明は、着磁ヨークをターンテーブルの中心案内部に着脱可能に結合することで、組立て作業が容易になり、組立ての後に着磁ヨークを他のものと交換することができるターンテーブルに適用可能である。
【図面の簡単な説明】
【００５４】
【図１】本発明の好適な実施例によるターンテーブルを示す概略断面図である。
【図２】図１のクランピング磁石、着磁ヨークおよび中心案内部の概略分解斜視図である。
【図３】図１のターンテーブルの底面図である。
【図４】図１のボールカバーの概略断面図である。
【図５】従来技術のターンテーブルを示す概略断面図である。
【符号の説明】
【００５５】
１００  ターンテーブル、１１０  本体、１２０  中心案内部、１２１  軸結合口、１２２  開放口、１２２ａ  底面、１２２ｂ  内周壁、１２３  結合突起、１３０  着磁ヨーク、１３１  結合部位、１３２  開放部、１３３  結合部、１４０  クランピング磁石、１５０  バランシング部、１５１  第１隔壁、１５２  第２隔壁、１５４  収容空間、１６０  ボール、１８０  ボールカバー、１８１  底部、１８２  内周結合突起、１８３  外周結合突起
【図１】
2007179721.tif 000003
【図２】
2007179721.tif 000004
【図３】
2007179721.tif 000005
【図４】
2007179721.tif 000006
【図５】
2007179721.tif 000007